(57)【要約】【課題】  複数の気室を各々コントロールすることにより、各々が持つ形状に応じた動きをすることができ、屋根の開閉や様々に変化するディスプレイ等、様々な用途に使用できる形状可変空気膜構造体を提供する。【解決手段】  複数の気室を設けた構造体の各気室に、空気を送り込む送風管を設け、送風機にて所要の気室に空気を送り込み構造体を色々な形に変更することを特徴とする。【選択図】  図１
2005068975.tif 000002
【特許請求の範囲】
【請求項１】
複数の気室を設けた構造体の各気室に、空気を送り込む送風管を設け、送風機にて所要の気室に空気を送り込み構造体を色々な形に変更することを特徴とする形状可変空気膜構造体。
【請求項２】
２つの気室を設けた構造体であることを特徴とする請求項１記載の形状可変空気膜構造体。
【請求項３】
４つの気室を設けた構造体であることを特徴とする請求項１記載の形状可変空気膜構造体。
【請求項４】
少なくとも２つの気室の背面上半分を固着してなる構造体であることを特徴とする請求項２又は３記載の形状可変空気膜構造体。
【発明の詳細な説明】
【技術分野】
【０００１】  本発明は、各々の気室に空気を送風することにより、各々が持つ形状に応じた動きを与えることができる形状可変空気膜構造体に関するものである。
【背景技術】
【０００２】  背景技術としては、上面膜材と下面膜材とから形成される二重膜構造の空気室に空気給排気口を介して加圧気体を注入することにより立体構造を形成する空気膜構造体において、該空気膜構造体には、該上面膜材と該下面膜材とを連結する、通気孔を有するリブ状連結膜材が配設されており、隣合うリブ状連結膜材間が０．５〜１．５ｍであるものが開示されている。（特許文献１参照）【０００３】
【特許文献１】  特開２００１−３０３７９５号公報（請求項１、図１）
【発明の開示】
【発明が解決しようとする課題】
【０００４】  しかし、上記のような形態のものは、単に雨天時や少量の積雪時においても漏水のない活動空間を確保するものであり、構造体を色々な形に変更する機能・効果を有していない。【０００５】  本発明は、上記問題点に鑑みなされたもので、複数の気室を各々コントロールすることにより、各々が持つ形状に応じた動きをすることができ、屋根の開閉や様々に変化するディスプレイ等、様々な用途に使用できる形状可変空気膜構造体を提供することを目的とする。
【課題を解決するための手段】
【０００６】  上記課題を解決するための手段として、複数の気室を設けた構造体の各気室に、空気を送り込む送風管を設け、送風機にて所要の気室に空気を送り込み構造体を色々な形に変更すること。また、２つの気室を設けた構造体であること。４つの気室を設けた構造体であること。さらに、少なくとも２つの気室の背面上半分を固着してなる構造体であることを特徴とする。
【発明の効果】
【０００７】１）、複数の気室を自在にコントロールすることにより、各々が持つ形状に応じた動きを表現できる効果がある。
２）、２つの気室の場合、屋根の開閉に有効で、特に大型の屋根（造船用や球場用等）に使用できる効果がある。
３）、４つの気室の場合、４方向への動きが可能となり、ゲー厶機等に使用できる効果がある。
４）、少なくとも２つの気室の背面上半分を固着することにより、前方と後方の気室の模様を交互に表示できる効果がある。
【発明を実施するための最良の形態】
【実施例１】
【０００８】  以下、本発明による形状可変空気膜構造体を図面に基づき詳細に説明する。
形状可変空気膜構造体１は、左右に独立した左気室２ａ及び右気室２ｂを一体的に設けた構造体２のそれぞれの気室２ａ・２ｂに送風管３・４を設け、この送風管３・４にそれぞれ制御可能な送風機５・６を設けてなるものである。【０００９】  上記形状可変空気膜構造体１の動きとして、送風機６を作動ＯＮさせ送風管４を通して右気室２ｂを膨せると同時に、送風機５をＯＦＦにし、左気室２ａ内の空気を送風管３を通って外部に放出させることにより、右気室２ｂを左側に移動させることができる。（図１参照）【００１０】  つぎに、送風機５を作動させ送風管３を通して左気室２ａを膨せると同時に、送風機６をＯＦＦにし、右気室２ｂ内の空気を送風管４を通って外部に放出させることにより、左気室２ａを右側に移動させることができる。（図２参照）【００１１】  上記形状可変空気膜構造体１の使用例を下記に述べる。
例えば、造船所におけるドックＤの屋根Ｙに使用する場合、向って左側の形状可変空気膜構造体１の右気室２ｂに空気を入れ、右気室２ｂを左側に移動させる。
同時に、向って右側の形状可変空気膜構造体１の左気室２ａに空気を入れ、左気室２ａを右側に移動させ正面逆ハの字状に形成する。（図３参照）【００１２】  つまり、屋根Ｙの上部を開口させ、ドックＤ内の海水を抜き、修理船ＦをドックＤ内に固定する。（図４参照）【００１３】  つづいて、向って右側の形状可変空気膜構造体１の右気室２ｂに空気を入れ、右気室２ｂを左側に移動させると共に、向って左側の形状可変空気膜構造体１の左気室２ａに空気を入れ、左気室２ａを右側に移動させ、構造体２・２の先端同士を接合させる。
このようにして、ドーム型の屋根Ｙ１を構築することができ、雨や風等を忍び修理作業Ｓを行うことができる。（図５参照）
【実施例２】
【００１４】  つぎに、第２実施例の形状可変空気膜構造体を説明する。
この形状可変空気膜構造体２１は、独立した気室２１ａ・２１ｂ・２１ｃ・２１ｄを４つ一体的に設けた構造体２２を、塔状に形成してなるものである。（なお、送風管及び送風機は第１実施例と同様なものを４つ設けるため省略する。）【００１５】  形状可変空気膜構造体２１の使用例を下記に述べる。
１）、気室２１ｃ・２１ｄに空気を入れ、気室２１ａ・２１ｂから空気を抜くことにより、構造体２２の先端がスペードＳＰを指す。
２）、気室２１ａ・２１ｂに空気を入れ、気室２１ｃ・２１ｄから空気を抜くことにより、構造体２２の先端がクローバーＫを指す。
３）、気室２１ａ・２１ｄに空気を入れ、気室２１ｂ・２１ｃから空気を抜くことにより、構造体２２の先端がハートＨＡを指す。
４）、気室２１ｂ・２１ｃに空気を入れ、気室２１ａ・２１ｄから空気を抜くことにより、構造体２２の先端がダイヤＤＡを指す。
上記のように気室２１ａ・２１ｂ・２１ｃ・２１ｄをコントロールすることにより所要の位置を示すことができるゲーム機として使用できる。（図６・図７・図８・図９参照）
なお、ゲーム機以外に、例えば先端に電磁石を設け、物品を４方向に移動するロボット等にも使用できる。
【実施例３】
【００１６】  第３実施例の形状可変空気膜構造体について説明する。
この形状可変空気膜構造体３１は、表面に模様Ｍ・Ｍ１を施した気室３２ａと気室３２ｂの背面上半分３２ｅを固着してなる構造体３２を設けてなるものである。（図１０参照）【００１７】  形状可変空気膜構造体３１の使用例について下記に述べる。
通常は気室３２ａに空気を入れ、表面の模様Ｍを見せるように構成しているが、気室３２ａの空気を抜き、同時に気室３２ｂに空気を入れることにより、気室３２ａが前方に倒れ、後方から模様Ｍ１を施した気室３２ｂが出現し、前面を覆うもので、２種類の模様Ｍ・Ｍ１を交互に表示することができるディスプレイとして使用できる。（図１１・図１２・図１３参照）【００１８】  なお、第１実施例の他の使用例として、ドーム式球場ＤＫの天井屋根ＴＹを分割して、各々の構造体２−−−をコントロールすることにより開閉自在に形成できるものである。（図１４・図１５参照）
また、形状可変空気膜構造体の素材は特に限定することはないが、機密性の高いものを使用する。
さらに、気室と気室とは仕切り布で行うのも一考で、独立した気室を背面あるいは側面で固着した形態で構造体を形成してもよい。
さらにまた、使用例としては実施例以外のものも考えられ、多目的に使用できるものである。
【産業上の利用可能性】
【００１９】  本発明は、上記各実施例の構造により、各気室を自在にコントロールすることにより、各々が持つ形状に応じた動きを表現することができ、屋根の開閉や様々に変化するディスプレイ等、多目的に使用でき、産業上の利用度は高いといえる。
【図面の簡単な説明】
【００２０】
【図１】  本発明の第１実施例を示す左側に移動した形状可変空気膜構造体の縦断正面図。
【図２】  本発明の第１実施例を示す右側に移動した形状可変空気膜構造体の縦断正面図。
【図３】  本発明の第１実施例を示す形状可変空気膜構造体をドックの屋根に使用した第１工程図。
【図４】  本発明の第１実施例を示す形状可変空気膜構造体をドックの屋根に使用した第２工程図。
【図５】  本発明の第１実施例を示す形状可変空気膜構造体をドックの屋根に使用した第３工程図。
【図６】  本発明の第２実施例を示す前方に移動した形状可変空気膜構造体の縦断面図。
【図７】  本発明の第２実施例を示す後方に移動した形状可変空気膜構造体の縦断面図。
【図８】  本発明の第２実施例を示す右方向に移動した形状可変空気膜構造体の縦断面図。
【図９】  本発明の第２実施例を示す左方向に移動した形状可変空気膜構造体の縦断面図。
【図１０】  本発明の第３実施例を示す形状可変空気膜構造体の斜視図。
【図１１】  本発明の第３実施例を示す形状可変空気膜構造体をディスプレイに使用した第１工程図。
【図１２】  本発明の第３実施例を示す形状可変空気膜構造体をディスプレイに使用した第２工程図。
【図１３】  本発明の第３実施例を示す形状可変空気膜構造体をディスプレイに使用した第３工程図。
【図１４】  本発明の第１実施例の形状可変空気膜構造体をドーム型球場に使用した閉じた状態の斜視図。
【図１５】  本発明の第１実施例の形状可変空気膜構造体をドー厶型球場に使用した一部を開いた状態の斜視図。
【符号の説明】
【００２１】１−−−形状可変空気膜構造体
２−−−構造体
２ａ−−左気室
２ｂ−−右気室
３−−−送風管
４−−−送風管
５−−−送風機
６−−−送風機
【図１】
2005068975.tif 000003
【図２】
2005068975.tif 000004
【図３】
2005068975.tif 000005
【図４】
2005068975.tif 000006
【図５】
2005068975.tif 000007
【図６】
2005068975.tif 000008
【図７】
2005068975.tif 000009
【図８】
2005068975.tif 000010
【図９】
2005068975.tif 000011
【図１０】
2005068975.tif 000012
【図１１】
2005068975.tif 000013
【図１２】
2005068975.tif 000014
【図１３】
2005068975.tif 000015
【図１４】
2005068975.tif 000016
【図１５】
2005068975.tif 000017